(57)【特許請求の範囲】
【請求項１】
管理対象区域に入退出しようとする入退出者を管理部門で管理するために用いられる入退出管理システムであって、
前記管理対象区域に出入りを許可された関係者から取得された指紋を含む生体認証用の生体データと、前記生体データに対応すると共に氏名を含む前記関係者に関する情報とを認証データとして記憶し、前記管理対象区域で当日の作業を行う関係者の氏名と、前記関係者が当日出入りする出入り口の出入り口番号とを含む情報を当日作業データとして記憶していると共に、前記管理部門に設置されているデータベースと、
前記管理対象区域に入退出しようとする入退出者から生体データを取得する読み取り部と、前記出入り口の出入り口番号が入力され、前記読み取り部が取得した生体データに前記出入り口番号を付加して通信網に送る携帯用のコンピュータとを具備すると共に、前記管理対象区域の出入り口に設置されて用いられる読み取り装置と、
前記通信網を経て前記コンピュータから生体データを受け取ると、前記生体データと前記データベースの認証データとを対比して該当者が有るかどうかを判定し、該当者が有ると、前記認証データから名前を含むこの該当者のデータを抽出し、抽出したデータおよび前記生体データに付加されている出入り口番号と、前記データベースの当日作業データとを対比して該当者が有るかどうかを判定し、判定結果を示すメッセージを作成し、前記通信網を経て、前記メッセージを前記読み取り装置のコンピュータに送ると共に、前記管理部門に設置されている管理サーバと、
を備え、
前記コンピュータは、前記通信網を経て前記管理サーバから前記メッセージを受け取ると、前記メッセージを表示する、
ことを特徴とする入退出管理システム。
【請求項２】
前記管理サーバは、前記入退出者が関係者である場合、この関係者に対応する情報を入場者リストに記録して更新し、更新したこの入場者リストを、前記通信網を経て前記読み取り装置のコンピュータに送り、
前記コンピュータは、前記入場者リストを受け取ると、このリストを表示することを特徴とする請求項１に記載の入退出管理システム。
【請求項３】
管理対象区域に入退出しようとする入退出者を管理部門で管理するために用いられる入退出管理方法であって、
前記管理対象区域に出入りを許可された関係者から取得された指紋を含む生体認証用の生体データと、前記生体データに対応すると共に氏名を含む前記関係者に関する情報とを認証データとして、前記管理部門に設置されているデータベースが記憶し、
前記管理対象区域で当日の作業を行う関係者の氏名と、前記関係者が当日出入りする出入り口の出入り口番号とを含む情報を当日作業データとして前記データベースが記憶し、
前記管理対象区域に入退出しようとする入退出者から生体データを、前記管理対象区域の出入り口に設置されて用いられる読み取り装置の読み取り部が取得し、
前記出入り口の出入り口番号が入力され、前記読み取り部が取得した生体データに前記出入り口番号を付加して、前記読み取り装置の携帯用のコンピュータが通信網に送り、
前記通信網を経て前記コンピュータから生体データを受け取ると、前記生体データと前記データベースの認証データとを対比して該当者が有るかどうかを、前記管理部門に設置されている管理サーバが判定し、
該当者が有ると、前記認証データから名前を含むこの該当者のデータを前記管理サーバが抽出し、
抽出したデータおよび前記生体データに付加されている出入り口番号と、前記データベースの当日作業データとを対比して該当者が有るかどうかを前記管理サーバが判定し、
判定結果を示すメッセージを前記管理サーバが作成し、
前記通信網を経て、前記メッセージを前記管理サーバが前記読み取り装置のコンピュータに送り、
前記通信網を経て前記管理サーバから前記メッセージを受け取ると、前記コンピュータが前記メッセージを表示する、
ことを特徴とする入退出管理方法。
【発明の詳細な説明】
【技術分野】
【０００１】
この発明は、管理対象とする区域への入退出を管理する入退出管理システムおよび入退出管理方法に関する。
【背景技術】
【０００２】
従来、管理対象とする区域（以下、「管理対象区域」という）に対する入退出者を管理する場合、例えば管理対象区域が工事現場であるとき、この現場に掲示板を設置し、監督者や作業者などの関係者が工事現場に入退出する毎に、掲示板に入退出をペン等で書き込んでいた。こうした不便さを解消するために、生体認証を利用して入退出を管理するシステム（例えば、特許文献１参照。）がある。このシステムでは、生体認証をする装置をドアなどに設置し、このドアを開閉する際に関係者が生態認証を行い、本人と確認された場合にドアが開く。こうしたシステムとは別に、ＩＣタグを利用して入退出を管理する管理システム（例えば、特許文献２参照。）がある。このシステムでは、施設の出入り口に入所を判定する装置を設置し、ＩＣタグが付けられている認証カードを、入退出する関係者が携帯する。そして、関係者が入退出する毎に、読み取り装置が認証カードから関係者の情報を読み取り、システムがドアの開閉を記録する。
【特許文献１】特開２００５−２７３２８１号公報
【特許文献２】特開２００６−３１８３１４号公報
【発明の開示】
【発明が解決しようとする課題】
【０００３】
先に述べた管理システムには次の課題がある。生体認証を利用するシステムの場合、関係者の生体情報をあらかじめ記憶している。そして、入室しようとする人から生体情報を読み取り、読み取った生体情報を処理して、関係者かどうかを判定するので、システム構成が複雑になってしまう。また、ＩＣタグを利用するシステムの場合、認証カードのＩＣタグに関係者の氏名や所属などの個人情報を記録するので、認証カードに記録された個人情報の安全管理に問題が生じる場合がある。
【０００４】
この発明の目的は、前記の課題を解決し、複雑なシステム構成や個人情報の安全管理を不要にする入退出管理システムおよび入退出管理方法を提供することにある。
【課題を解決するための手段】
【０００５】
前記の課題を解決するために、請求項１の発明は、管理対象区域に入退出しようとする入退出者を管理部門で管理するために用いられる入退出管理システムであって、前記管理対象区域に出入りを許可された関係者から取得された指紋を含む生体認証用の生体データと、前記生体データに対応すると共に氏名を含む前記関係者に関する情報とを認証データとして記憶し、前記管理対象区域で当日の作業を行う関係者の氏名と、前記関係者が当日出入りする出入り口の出入り口番号とを含む情報を当日作業データとして記憶していると共に、前記管理部門に設置されているデータベースと、前記管理対象区域に入退出しようとする入退出者から生体データを取得する読み取り部と、前記出入り口の出入り口番号が入力され、前記読み取り部が取得した生体データに前記出入り口番号を付加して通信網に送る携帯用のコンピュータとを具備すると共に、前記管理対象区域の出入り口に設置されて用いられる読み取り装置と、前記通信網を経て前記コンピュータから生体データを受け取ると、前記生体データと前記データベースの認証データとを対比して該当者が有るかどうかを判定し、該当者が有ると、前記認証データから名前を含むこの該当者のデータを抽出し、抽出したデータおよび前記生体データに付加されている出入り口番号と、前記データベースの当日作業データとを対比して該当者が有るかどうかを判定し、判定結果を示すメッセージを作成し、前記通信網を経て、前記メッセージを前記読み取り装置のコンピュータに送ると共に、前記管理部門に設置されている管理サーバと、を備え、前記コンピュータは、前記通信網を経て前記管理サーバから前記メッセージを受け取ると、前記メッセージを表示する、ことを特徴とする入退出管理システムである。
【０００６】
請求項１の発明では、管理対象区域に読み取り装置が設置され、管理対象区域とは離れた管理部門にデータベースと管理サーバとが設置されている。そして、管理サーバは、管理対象区域に出入りする関係者から取得される生体データと、生体データに対応し、かつ、関係者に関する情報を認証データとしてそれぞれ記憶している。こうした状態のときに、読み取り装置は、管理対象区域に入退出しようとする入退出者から取得した生体データを管理サーバに送る。管理サーバは、あらかじめ記憶している認証データおよび当日作業データと、読み取り装置から受け取った生体データとを対比して、データベースに登録された関係者かどうかを判定する。そして、管理サーバは、判定結果を示すメッセージを読み取り装置に送る。
【０００７】
請求項２の発明は、請求項１に記載の入退出管理システムにおいて、前記管理サーバは、前記入退出者が関係者である場合、この関係者に対応する情報を入場者リストに記録して更新し、更新したこの入場者リストを、前記通信網を経て前記読み取り装置のコンピュータに送り、前記コンピュータは、前記入場者リストを受け取ると、このリストを表示することを特徴とする。
【００１０】
請求項３の発明は、管理対象区域に入退出しようとする入退出者を管理部門で管理するために用いられる入退出管理方法であって、前記管理対象区域に出入りを許可された関係者から取得された指紋を含む生体認証用の生体データと、前記生体データに対応すると共に氏名を含む前記関係者に関する情報とを認証データとして、前記管理部門に設置されているデータベースが記憶し、前記管理対象区域で当日の作業を行う関係者の氏名と、前記関係者が当日出入りする出入り口の出入り口番号とを含む情報を当日作業データとして前記データベースが記憶し、前記管理対象区域に入退出しようとする入退出者から生体データを、前記管理対象区域の出入り口に設置されて用いられる読み取り装置の読み取り部が取得し、前記出入り口の出入り口番号が入力され、前記読み取り部が取得した生体データに前記出入り口番号を付加して、前記読み取り装置の携帯用のコンピュータが通信網に送り、前記通信網を経て前記コンピュータから生体データを受け取ると、前記生体データと前記データベースの認証データとを対比して該当者が有るかどうかを、前記管理部門に設置されている管理サーバが判定し、該当者が有ると、前記認証データから名前を含むこの該当者のデータを前記管理サーバが抽出し、抽出したデータおよび前記生体データに付加されている出入り口番号と、前記データベースの当日作業データとを対比して該当者が有るかどうかを前記管理サーバが判定し、判定結果を示すメッセージを作成し、前記通信網を経て、前記メッセージを前記管理サーバが前記読み取り装置のコンピュータに送り、前記通信網を経て前記管理サーバから前記メッセージを受け取ると、前記コンピュータが前記メッセージを表示する、ことを特徴とする入退出管理方法である。
【発明の効果】
【００１１】
請求項１および請求項３の発明によれば、管理対象区域に読み取り装置が設置され、管理対象区域とは離れた管理部門に、個人情報を記憶しているデータベースが設置され、さらに、入退出者が関係者かどうかを管理サーバが判定する。これにより、読み取り装置の携帯用のコンピュータに対しては複雑なシステム構成を不要にすることができ、かつ、読み取り装置の携帯用のコンピュータが個人情報を記憶していないので、個人情報の安全管理を不要にすることができる。また、本発明によれば、生体認証により、入退出者が関係者かどうかを判断するので、ＩＣタグが付けられている認証カードなどを不要にして、個人情報の安全管理を確実なものにすることができる。
【００１２】
請求項２の発明によれば、入場者リストを読み取り装置の携帯用のコンピュータが表示するので、管理対象区域に関係者が残っているかどうかを知らせることができる。
【発明を実施するための最良の形態】
【００１５】
次に、この発明の実施の形態について、図面を用いて詳しく説明する。以下の実施の形態では、入退出者を管理する管理対象区域として、工事現場を例として説明する。
【００１６】
（実施の形態１）
この実施の形態による入退出管理システムを図１に示す。図１の入退出管理システムは、企業の管理部門に設置されている通信制御装置１、管理サーバ２、データベース（ＤＢ）３および管理パソコン（ＰＣ）４と、工事現場Ａ、Ｂの出入り口Ａ１、Ｂ１に運ばれて設置される読み取り装置１０とを備えている。管理部門は通信網ＮＷを経由して工事現場Ａ、Ｂの読み取り装置１０とデータの送受信が可能な状態にある。
【００１７】
読み取り装置１０は、携帯パソコン（ＰＣ）１１と読み取り部１２とで構成され、現場の責任者によって自在に持ち運ばれる。読み取り部１２は、現場で携帯パソコン１１に接続されて使用される装置であり、携帯パソコン１１の制御によって、人の指紋を読み取って生体データを生成する。生体データは、工事現場Ａ、Ｂに出入りしようとする入退出者から、直接取得した取得データであり、生体認証用のデータである。読み取り部１２は、生成した生体データを携帯パソコン１１に送る。なお、読み取り部１２が読み取る生体認証用のデータとしては、人の指紋以外にも、瞳の虹彩、声門など各種のものがあり、これらは指紋と同様にこの実施の形態で利用可能である。
【００１８】
読み取り装置１０の携帯パソコン１１は、現場の責任者等によって操作される携帯用のコンピュータであり、図２に示すように、処理部１１Ａ、記憶部１１Ｂ、表示制御部１１Ｃ、モニタ１１Ｄ、通信部１１Ｅ、インターフェース１１Ｆおよび入力装置１１Ｇを備えている。表示制御部１１Ｃは、バスＢＳを経由した処理部１１Ａの制御によって、画像を表示するための画像信号を生成してモニタ１１Ｄに送る。モニタ１１Ｄはデータを表示するＬＣＤ（液晶ディスプレイ）などの表示装置である。通信部１１Ｅは、バスＢＳを経由した処理部１１Ａの制御によって、通信網ＮＷとデータの送受信を行う。入力装置１１Ｇは、キーボードやマウスのような、使用者によって操作されるものであり、インターフェース１１Ｆを経由してバスＢＳに接続されている。インターフェース１１Ｆには、先に述べた読み取り部１２が接続されている。
【００１９】
記憶部１１Ｂは、各種のデータを記憶する記憶装置である。また、記憶部１１Ｂは、携帯パソコン１１に必要とするプログラムをあらかじめ記憶している。
【００２０】
処理部１１Ａは、記憶部１１Ｂに記憶されているプログラムによって各種の処理を行う。処理部１１Ａは、インターフェース１１Ｆを経て入力装置１１Ｇから出入り口番号を受け取ると、記憶部１１Ｂに記憶する。この出入り口番号は、工事現場の出入り口Ａ１、Ｂ１を識別するために付けられた識別情報である。
【００２１】
処理部１１Ａは、先に述べたように、記憶部１１Ｂに記憶されているプログラムを実行する。処理部１１Ａが実行するプログラムには、人の指紋を読み取るための読み取り処理がある。処理部１１Ａは、入力装置１１Ｇに読み取り開始の指示が入力されると、図３に示す読み取り処理を開始する。読み取り処理を開始すると、処理部１１Ａは読み取り部１２からの生体データを待つ（ステップＳ１）。読み取り部１２から生体データを受け取ると（ステップＳ２）、処理部１１Ａは、記憶部１１Ｂから出入り口番号を読み出して、この番号を生体データに付加する（ステップＳ３）。この後、処理部１１Ａは、通信部１１Ｅを制御して、生体データを管理部門に送る（ステップＳ４）。生体データの送信が終了すると、処理部１１Ａは管理部門からの照合結果を待つ（ステップＳ５）。管理部門から照合結果を受け取ると（ステップＳ６）、処理部１１Ａは、表示制御部１１Ｃを制御して、モニタ１１Ｄに照合結果を表示する（ステップＳ７）。
【００２２】
ステップＳ７が終了すると、処理部１１Ａは、入力装置１１Ｇから作業を終了する指示である作業終了の指示が有るか無いかを判断する（ステップＳ８）。作業終了の指示が無ければ、処理部１１Ａは処理をステップＳ１に戻す。作業終了の指示が有ると、処理部１１Ａは、記憶部１１Ｂの出入り口番号を削除して、（ステップＳ９）、読み取り処理を終了する。なお、ステップＳ９は携帯パソコン１１の次回の使用に備えるための処理である。
【００２３】
処理部１１Ａが実行するプログラムには作業終了処理がある。処理部１１Ａは、入力装置１１Ｇに読み取り作業終了の指示が入力されると、図４に示す作業終了処理を開始する。作業終了処理を開始すると、処理部１１Ａは、入力装置１１Ｇから受け取った作業終了の指示に出入り口番号を付加する（ステップＳ２１）。この後、処理部１１Ａは、通信部１１Ｅを制御して、作業終了の指示を管理部門に送る（ステップＳ２２）。作業終了の指示を送った後、処理部１１Ａは、管理部門からの検出結果を待つ（ステップＳ２３）。管理部門から検出結果を受け取ると（ステップＳ２４）、処理部１１Ａは、表示制御部１１Ｃを制御して、モニタ１１Ｄに検出結果を表示し（ステップＳ２５）、作業終了処理を終了する。
【００２４】
管理部門の通信制御装置１は、管理サーバ２と工事現場Ａ、Ｂの読み取り装置１０とのデータ通信を可能にする。また、通信制御装置１は管理パソコン４と別の企業などとのデータ通信を可能にする。データベース３は、工事等に関する各種のデータを記憶している。工事に関するデータの場合、データベース３が記憶するデータには、工事現場の様子を表す現場データがある。この工事現場データを図５に示す。図５の工事現場データには、工事対象の名称、工事対象の住所が記録されている。さらに、工事現場データには、工事対象の様子を示す地図データが添付されている。この地図データには、関係者が出入りする出入り口などが記録されている。なお、この実施の形態では、工事対象の施設名が「ＴＦ変電所」であり、この変電所には、変電設備と建屋が設けられている。こうした工事対象である変電所では、例えば変電設備が工事現場Ａであり、建屋内の設備が工事現場Ｂである。工事現場Ａの出入り口Ａ１、Ａ２を識別するための識別番号が「ＧＡ０１」と「ＧＡ０２」であり、建屋の出入り口Ｂ１、Ｂ２を識別するための識別番号が「ＧＢ０１」と「ＧＢ０２」である。また、この実施の形態では、工事現場Ａでは出入り口Ａ１を使用し、工事現場Ｂでは出入り口Ｂ１を使用する。そして、残りの出入り口Ａ２、Ｂ２を不使用とする。
【００２５】
データベース３が記録するデータには、工事の内容を記録した工事データがある。この工事データを図６に示す。図６の工事データには、工事の項目が「工事名」の欄に記録され、この工事を識別する識別情報が「工事番号」の欄に記録され、この工事を行う企業が「担当企業」の欄に記録されている。また、工事データには、工事を行う人数が「作業者数」の欄に記録され、この工事を行う期間が「工事期間」の欄に記録され、工事に用いられる主な機器が「使用機器」の欄に記録されている。なお、この実施の形態では、現場データ（図５）の「変電設備」に対する工事（工事現場Ａ）が工事番号「Ｃ０００１」の「機器点検」であり、「建屋」に対する工事（工事現場Ｂ）が工事番号「Ｃ００１１」の「部品交換」である。
【００２６】
データベース３が記憶するデータには、工事の日程を記録した日程データがある。この日程データを図７に示す。図７の日程データには、当日に行う工事が「工事名」の欄に記録され、この工事を識別する識別情報が「工事番号」の欄に記録されている。さらに、日程データには、工事の日程が日毎に記録されている。
【００２７】
データベース３が記録するデータには認証データがある。認証データは、工事の関係者を識別する際に使用される生体認証のデータを記録したものである。この認証データを図８に示す。図８の認証データには、工事に関係する企業が「所属企業」の欄に記録され、各企業に所属する工事の関係者を識別するための識別情報が「関係者番号」の欄に記録され、該当する関係者の「氏名」が記録されている。関係者は、工事現場に出入りすることを許可されている。さらに、認証データには、各関係者の生体認証用のデータとして、指紋のデータが「生体認証データ」の欄に記録されている。なお、この実施の形態では、「本社」は工事を依頼する企業であり、「Ｂ社」と「Ｃ社」が「本社」の依頼により工事を行う企業である。また、関係者番号は、各企業で管理している社員番号のような識別情報であり、氏名と共に企業における社員の個人情報である。
【００２８】
管理パソコン４は、管理部門の担当者によって操作されるコンピュータである。担当者の操作によって、管理パソコン４は、当日行われる作業内容を表す当日作業データを作成してデータベース３に記憶する。この当日作業データを図９に示す。図９の当日作業データは、先に述べた現場データ（図５）、工事データ（図６）および日程データ（図７）を基にして、担当者の作業で作成される。この当日作業データには、当日行われる工事が「工事番号」の欄に記録され、各工事で使用される出入り口が「出入り口番号」の欄に記録されている。また、当日作業データには、各出入り口を使用する工事の関係者が「担当」の欄に記録され、各関係者を識別するための識別情報が「関係者番号」の欄に記録され、関係者の「氏名」と「所属企業」が記録されている。さらに、当日作業データには、関係者が現場に入った時刻を記録するための「入り時刻」の欄と、この関係者が現場から出た時刻を記録するための「出時刻」の欄と、この関係者が現場に居るかどうかを表す「入退出」の欄が設けられている。この欄には、関係者が現場に居ることを表す値である「１」、または、関係者が現場から出たことを表す値である「０」が記録される。当日作業データには、企業による工事情報と、監督者および作業者の個人情報とが含まれている。この実施の形態では、監督者は「本社」に所属し、作業者は「Ｂ社」または「Ｃ社」に所属する。
【００２９】
管理部門の管理サーバ２は、読み取り装置１０に対して生体認証についての処理結果を提供する。このために、管理サーバ２は認証処理を行う。管理サーバ２は、工事現場Ａ、Ｂの読み取り装置１０から読み取り開始の通知を受けると、図１０に示す認証処理を開始する。認証処理を開始すると、管理サーバ２は、読み取り装置１０からの生体データを待つ（ステップＳ４１）。この後、読み取り装置１０から生体データを受け取ると（ステップＳ４２）、管理サーバ２は、受け取った生体データと、データベース３に記憶している生体認証データ（図８）とを対比して（ステップＳ４３）、該当者の有無を判定する（ステップＳ４４）。
【００３０】
ステップＳ４４で該当者が有ると、つまり、入退出者が工事の関係者であると、管理サーバ２は、認証データ（図８）から、該当する関係者のデータとして、関係者番号と氏名を抽出する（ステップＳ４５）。この後、管理サーバ２は、ステップＳ４２で生体データと共に受け取った出入り口番号およびステップＳ４５で抽出した該当者のデータと、当日作業データ（図９）とを対比して（ステップＳ４６）、該当者が有るかどうかを判断する（ステップＳ４７）。該当者が有ると、管理サーバ２は、当日作業データ（図９）の「入り時刻」の欄に現在の時刻を記録し、「入退出」の欄を反対の値にして、当日作業データ（図９）を更新する（ステップＳ４８）。「入退出」の欄の値を反対の値にすると、例えば、関係者が現場から出たことを表す値である「０」が記録されている場合、管理サーバ２は関係者が現場に居ることを表す値である「１」に変更する。
【００３１】
ステップＳ４８が終了すると、管理サーバ２は、関係者が適正であることを表すメッセージと入場者リストを作成する（ステップＳ４９）。入場者リストは、現場に居る監督者や作業者の氏名や所属企業などを表すデータであり、管理サーバ２は入場者リストを当日作業データから作成する。ステップＳ４９の後、管理サーバ２は、作成したメッセージと入場者リストを照合結果として読み取り装置１０に送る（ステップＳ５０）。この後、管理サーバ２は、工事現場Ａ、Ｂの読み取り装置１０から作業終了の指示があるかどうかを判断する（ステップＳ５１）。作業終了の指示が無ければ、管理サーバ２は処理をステップＳ４１に戻し、作業終了の指示があると照合処理を終了する。
【００３２】
一方、ステップＳ４４での生体認証の結果、該当者が無いと判断すると、管理サーバ２は、工事関係者ではないことを表すメッセージを作成する（ステップＳ５２）。この後、管理サーバ２は、作成したメッセージを照合結果として読み取り装置１０に送り（ステップＳ５３）、処理をステップＳ４１に戻して、認証処理を終了する。また、ステップＳ４７で該当者が無いと判断すると、管理サーバ２は、出入り口が違うことを表すメッセージを作成する（ステップＳ５４）。この後、管理サーバ２は、作成したメッセージを照合結果として読み取り装置１０に送り（ステップＳ５５）、処理をステップＳ４１に戻して、認証処理を終了する。
【００３３】
管理サーバ２は、工事現場Ａ、Ｂの読み取り装置１０から作業終了の指示を受け取ると、図１１に示す関係者検出処理を行う。関係者検出処理を開始すると、管理サーバ２は、最新の当日作業データの「入退出」の欄の値を参照し（ステップＳ８１）、工事現場Ａおよび工事現場Ｂに残留者が有るかどうかを判定する（ステップＳ８２）。残留者があると、管理サーバ２は、最新の当日作業データを用いて、残留者のリストを作成する（ステップＳ８３）。この後、管理サーバ２は、作成した残留者のリストを検出結果として該当の読み取り装置１０に送り（ステップＳ８４）、関係者検出処理を終了する。
【００３４】
一方、ステップＳ８２で残留者が無ければ、管理サーバ２は、残留者が無いことを表すメッセージを作成する（ステップＳ８５）。この後、管理サーバ２は、作成したメッセージを検出結果として該当の読み取り装置１０に送り（ステップＳ８６）、関係者検出処理を終了する。
【００３５】
次に、この実施の形態による入退出管理システムを用いた入退出管理方法について、図１２を用いて説明する。なお、図１２では、工事現場Ａを例とし、工事現場Ｂの読み取り装置１０を省略しているが、工事現場Ｂは工事現場Ａと同様である。
【００３６】
当日の作業が始まる前に、管理部門の担当者は管理パソコン４を操作して、「入り時刻」および「出時刻」が未記入であり、かつ、「入退出」の欄の値が「０」である当日作業データ、つまり初期状態の当日作業データ（図９）を作成して、データベース３に保存しておく。
【００３７】
当日、現場の責任者は、携帯パソコン１１と読み取り部１２を工事現場Ａの出入り口Ａ１に持ち運び、読み取り部１２を携帯パソコン１１に接続して、読み取り装置１０を準備する。そして、出入り口Ａ１を使用する工事現場Ａでは、責任者が読み取り装置１０のパソコン１１を操作して出入り口番号「ＧＡ０１」を入力する。これにより、工事現場Ａの出入り口Ａ１に設置されているパソコン１１は、管理部門にデータを送信するときに、出入り口番号「ＧＡ０１」を必ずデータに添付する。この後、読み取り装置１０のパソコン１１に読み取り開始の指示を現場の責任者が入力すると、パソコン１１は読み取り処理を行う。同時に、管理部門の管理サーバ２に、出入り口番号「ＧＡ０１」を付加して読み取り開始を通知する。これにより、管理サーバ２は認証処理を開始する。
【００３８】
こうした状態で、作業者が出入り口Ａ１から工事現場Ａに入るときに、読み取り装置１０の読み取り部１２に指を当てる。これにより、読み取り部１２は指の指紋を読み取って生体データを生成し、この生体データを携帯パソコン１１に送る。携帯パソコン１１は、読み取り処理により、生体データに出入り口番号「ＧＡ０１」を付加して、管理部門の管理サーバ２に送る。
【００３９】
管理サーバ２は、生体データを受け取ると、認証処理により当日作業データ（図９）を更新する。つまり、当日作業データ（図９）の「入退出」の欄が値「０」であれば、この値を「１」にすると共に「入り時刻」に現在の時刻を記録する。更新後の当日作業データを図１３に示す。なお、図１３では、工事現場Ａおよび工事現場Ｂで作業する作業者のすべてが現場に入ったことを表している。管理サーバ２は、当日作業データを更新すると同時に、認証処理による照合結果を工事現場Ａの読み取り装置１０に送る。
【００４０】
読み取り装置１０の携帯パソコン１１は、管理サーバ２から照合結果を受け取ると、表示制御部１１Ｃを制御して、この照合結果をモニタ１１Ｄに表示する。つまり、工事現場Ａに入ろうとした作業者が認証データ（図１３）に登録されていて、当日作業データ（図１３）の工事番号「Ｃ０００１」に記録されている関係者であるとき、携帯パソコン１１は、適正な作業者であることを示すメッセージを表示し、工事現場Ａに居る監督者および作業者のリストを表示する。また、工事現場Ａに入ろうとした作業者が認証データ（図１３）に登録されていなければ、携帯パソコン１１は工事関係者ではないことを表すメッセージを表示する。さらに、工事現場Ａに入ろうとした作業者が工事関係者ではあるが、当日作業データ（図１３）の工事番号「Ｃ０００１」に記録されている関係者ではないとき、携帯パソコン１１は出入り口が違うことを表すメッセージを表示する。
【００４１】
この後、当日の作業が終了し、工事現場Ａの出入り口Ａ１から作業者が出るときには、入る時と同じようにして、読み取り装置１０の読み取り部１２に指を当てる。これにより、携帯パソコン１１は、生体データに出入り口番号「ＧＡ０１」を付加して、管理部門の管理サーバ２に送る。管理サーバ２は、工事現場Ａの読み取り装置１０から生体データを受け取ると、認証処理により当日作業データ（図１３）を更新する。つまり、「入退出」の欄が値「１」であれば、この値を「０」にすると共に「出時刻」に現在の時刻を記録する。そして、管理サーバ２は、監督者や作業者が出入り口Ａ１を通る毎に当日作業データを更新していく。工事現場Ａの携帯パソコン１１は、管理サーバ２から照合結果を受け取ると、この照合結果をモニタ１１Ｄに表示する。
【００４２】
工事現場Ａの責任者が読み取り装置１０の携帯パソコン１１を操作して、作業終了の指示を入力すると、携帯パソコン１１は、出入り口番号「ＧＡ０１」を付加して、終了の指示を管理部門の管理サーバ２に送る。
【００４３】
管理サーバ２は、終了の指示を受け取ると、認証処理を終了して関係者検出処理を行う。これにより、管理サーバ２は、最新の当日作業データを参照して、検出結果を読み取り装置１０に送る。更新された最新の当日作業データを図１４に示す。図１４では、工事現場Ａで作業する関係者番号「ＰＢ０００１」の作業者が未退出であり、現場に居ることを表している。管理サーバ２は、最新の当日作業データ（図１４）を用いて、工事現場Ａで作業する、関係者番号が「ＰＢ０００１」の作業者が未退出であり、この作業者を残留者として表すリストを検出結果として、工事現場Ａの読み取り装置１０に送る。
【００４４】
読み取り装置１０の携帯パソコン１１は、管理部門の管理サーバ２から検出結果を受け取ると、この検出結果による残留者のリストをモニタ１１Ｄに表示する。つまり、携帯パソコン１１は、関係者番号が「ＰＢ０００１」の作業者が工事現場Ａに残っていることを表すリストをモニタ１１Ｄに表示する。これにより、工事現場Ａに残留者が有ることを知らせることができる。
【００４５】
この実施の形態によれば、企業の工事情報や監督者および作業者の個人情報を管理部門のデータベース３に保存し、工事現場Ａ、Ｂとは別の所に設置されている管理サーバ２で生体認証を行うことで、個人情報を記録した従来の認証カードを不要にすることができる。この結果、工事情報や個人情報の安全管理に問題が生じることがない。また、工事現場Ａ、Ｂで用いる読み取り装置１０の携帯パソコン１１には、関係者の個人情報が記録されていないので、携帯パソコン１１が盗難にあっても、個人情報の安全管理に問題が生じることがない。さらに、この実施の形態によれば、管理部門の管理サーバ２が認証処理を行い、携帯パソコン１１は処理結果を表示するだけであるので、携帯パソコン１１のシステム構成が複雑になることを防ぎ、携帯パソコン１１の負担が重くなることを防ぐことができる。
【００４６】
（実施の形態２）
この実施の形態では、工事の関係者を生体認証で特定する代わりに、ＩＣ（Ｉｎｔｅｇｒａｔｅｄ  Ｃｉｒｃｕｉｔ）タグを用いて関係者を特定する。この実施の形態による入退出管理システムを図１５および図１６に示す。なお、この実施の形態では、先の実施の形態と同一もしくは同一と見なされる構成要素には、それと同じ参照符号を付けて、その説明を省略する。この実施の形態では、実施の形態１の読み取り部１２に代わりにタグリーダ１３を用いている。
【００４７】
ＩＣタグ１００は、工事の関係者のヘルメットや、工事に用いられる主な機器類に貼り付けられている。これらのＩＣタグ１００は、管理番号をあらかじめ記憶している。管理番号は、工事現場Ａ、Ｂに出入りする監督者、作業者、機器類に仮に付与された番号である。また、ＩＣタグ１００は、工事現場Ａ、Ｂの出入り口Ａ１、Ｂ１に貼り付けられている。これらのＩＣタグ１００は、出入り口番号「ＧＡ０１」、「ＧＢ０１」をそれぞれ記憶している。ＩＣタグ１００は、読み取り装置１０のタグリーダ１３から電磁界を受信すると、あらかじめ記憶しているデータをタグリーダ１３に送信する。
【００４８】
タグリーダ１３は、現場で携帯パソコン１１に接続されて使用されるものであり、携帯パソコン１１の制御によって、ＩＣタグ１００に記録されている管理番号や出入り口番号を読み取る。タグリーダ１３は、読み取った管理番号や出入り口番号を携帯パソコン１１に送る。
【００４９】
携帯パソコン１１の処理部１１Ａは、インターフェース１１Ｆを経て入力装置１１Ｇから出入り口番号の読み取り指示を受け取った後に、インターフェース１１Ｆを経てタグリーダ１３から、出入り口Ａ１、Ｂ１のＩＣタグ１００に記録されている出入り口番号を受け取ると、この出入り口番号を記憶部１１Ｂに記憶する。
【００５０】
携帯パソコン１１の処理部１１Ａは、実施の形態１の読み取り処理の代わりに次の読み取り処理を行う。処理部１１Ａは、入力装置１１Ｇに読み取り開始の指示が入力されると、図１７に示す読み取り処理を開始する。読み取り処理を開始すると、処理部１１Ａはタグリーダ１３からの管理番号を待つ（ステップＳ１０１）。処理部１１Ａは、所定時間以内にタグリーダ１３から受け取った管理番号を１組として送信データとする（ステップＳ１０２）。この所定時間は、１人の関係者が機器などと共に出入り口Ａ１、Ｂ１を通過するときに、関係者のヘルメットおよび機器に設けられたＩＣタグ１００から管理番号を読み取るために必要とする時間である。
【００５１】
ステップＳ１０２の後、処理部１１Ａは、記憶部１１Ｂから出入り口番号を読み出して、この番号を送信データに付加する（ステップＳ１０３）。そして、処理部１１Ａは、通信部１１Ｅを制御して、送信データを管理部門に送信する（ステップＳ１０４）。以降のステップＳ１０５〜Ｓ１０９の処理は、実施の形態１のステップＳ５〜Ｓ９（図３）と同じであるので、説明を省略する。
【００５２】
この実施の形態では、実施の形態１で用いた認証データ（図８）の代わりに、データベース３は管理番号に対応する関係者のデータを関係者データに記憶している。この関係者データを図１８に示す。図１８の関係者データには、工事に関係する企業が「所属企業」の欄に記録され、各企業に所属する関係者を識別するための識別情報が「関係者番号」の欄に記録され、該当する関係者の「氏名」が記録されている。さらに、関係者データには関係者毎に付けられている番号が「管理番号」の欄に記録されている。管理番号は、関係者を識別するための関係者番号と異なる番号であり、各関係者に対して一時的に付けられている仮の番号である。これに対して関係者番号は、各企業で管理している社員番号のような識別情報であり、氏名と共に企業における社員の個人情報である。
【００５３】
この実施の形態では、管理部門の担当者の操作によって、管理パソコン４は、当日作業データ（図９）と共に当日用いられる作業用機器を示す機器データを作成してデータベース３に記憶する。この機器データを図１９に示す。図１９の機器データには、当日行われる工事が「工事番号」の欄に記録され、各工事で使用される出入り口の識別情報が「出入り口番号」の欄に記録されている。また、機器データには、工事で使用される工事用の機器が「機器名」の欄に記録され、各機器に付けられた番号が「管理番号」の欄に記録されている。この実施の形態では、管理番号の値に応じて、関係者と機器とを区別している。例えば、関係者には５０００以前の値を付け、機器には５００１以降の値を付けている。機器データには、機器が現場に入った時刻を記録するための「入り時刻」欄と、この機器が現場から出た時刻を記録するための「出時刻」の欄と、この機器が現場に有るかどうかを表す「入退出」の欄が設けられている。この欄には、機器が現場に有ることを表す値である「１」、または、機器が現場に無いことを表す値である「０」が記録される。
【００５４】
管理サーバ２は、実施の形態１の認証処理の代わりに、図２０〜図２２に示す識別処理を行う。管理サーバ２は、工事現場Ａ、Ｂの読み取り装置１０から読み取り開始の通知を受けると、図２０に示すように、読み取り装置１０からの送信データを待つ（ステップＳ１２１）。この後、読み取り装置１０から送信データを受け取ると（ステップＳ１２２）、管理サーバ２は、受け取った送信データに含まれる管理番号を抽出する（ステップＳ１２３）。そして、管理サーバ２は、抽出した管理番号の大きさに応じて、工事の関係者かどうかを判定する（ステップＳ１２４）。ステップＳ１２４で管理番号が関係者に該当する場合、管理サーバ２は関係者識別処理を行い（ステップＳ１２５）、関係者に該当しない場合、機器識別処理を行う（ステップＳ１２６）。
【００５５】
ステップＳ１２５の関係者識別処理を図２１に示す。管理サーバ２は、関係者識別処理を行うと、関係者データ（図１８）を用いて、該当する関係者のデータとして、関係者番号と氏名を抽出する（ステップＳ１４１）。この後、管理サーバ２は、送信データと共に受け取った出入り口番号およびステップＳ１４１で抽出した該当者のデータと、当日作業データ（図９）とを対比して（ステップＳ１４２）、該当者が有るかどうかを判断する（ステップＳ１４３）。該当者が有ると、管理サーバ２は、当日作業データ（図９）の「入り時刻」の欄に現在の時刻を記録し、「入退出」の欄の値を反対の値にして、当日作業データ（図９）を更新する（ステップＳ１４４）。この後、管理サーバ２は、関係者が適正であることを表すメッセージと入場者リストを作成し（ステップＳ１４５）、作成したメッセージと入場者リストを照合結果として読み取り装置１０に送り（ステップＳ１４６）、関係者識別処理を終了する。
【００５６】
一方、ステップＳ１４３で該当者が無いと判断すると、管理サーバ２は、出入り口が違うことを表すメッセージを作成する（ステップＳ１４７）。この後、管理サーバ２は、作成したメッセージを照合結果として読み取り装置１０に送り（ステップＳ１４８）、関係者識別処理を終了する。
【００５７】
ステップＳ１２６の機器識別処理を図２２に示す。管理サーバ２は、機器識別処理を行うと、送信データと共に受け取った出入り口番号およびステップＳ１２３で抽出した管理番号と、機器データ（図１９）とを対比して（ステップＳ１６１）、該当機器が有るかどうかを判断する（ステップＳ１６２）。該当機器が有ると、管理サーバ２は、機器データ（図１９）の「入り時刻」の欄に現在の時刻を記録し、「入退出」の欄の値を反対の値にして、機器データ（図１９）を更新する（ステップＳ１６３）。この後、管理サーバ２は、機器があらかじめ登録されていること、つまり、機器が適正であることを表すメッセージと機器リストを作成する（ステップＳ１６４）。機器リストは、現場に有る機器を表すデータであり、管理サーバ２は機器リストを機器データ（図１９）から作成する。管理サーバ２は、作成したメッセージと機器リストを照合結果として読み取り装置１０に送り（ステップＳ１６５）、機器識別処理を終了する。
【００５８】
一方、ステップＳ１６２で該当機器が無いと判断すると、管理サーバ２は、出入り口が違うことを表すメッセージを作成する（ステップＳ１６６）。この後、管理サーバ２は、作成したメッセージを照合結果として読み取り装置１０に送り（ステップＳ１６７）、機器識別処理を終了する。
【００５９】
こうしたステップＳ１２５またはステップＳ１２６が終了すると、管理サーバ２は、未抽出の管理番号が有るかどうかを判断する（ステップＳ１２７）。未抽出の管理番号が有る場合、管理サーバ２は、ステップＳ１２３で抽出した番号とは別の管理番号を抽出して（ステップＳ１２８）、処理をステップＳ１２４に戻す。また、未抽出の管理番号が無い場合、管理サーバ２は識別処理を終了する。
【００６０】
管理サーバ２は、読み取り装置１０から作業終了の指示を受け取ると、関係者検出処理（図１１）と共に図２３に示す機器検出処理を行う。機器検出処理を開始すると、管理サーバ２は、最新の機器データの「入退出」の欄の値を参照し（ステップＳ１８１）、工事現場Ａ、Ｂに残留機器が有るかどうかを判断する（ステップＳ１８２）。残留機器があると、管理サーバ２は、最新の機器データを用いて、残留機器のリストを作成する（ステップＳ１８３）。この後、管理サーバ２は、作成した残留機器のリストを検出結果として読み取り装置１０に送り（ステップＳ１８４）、機器検出処理を終了する。
【００６１】
一方、ステップＳ１８２で残留機器が無ければ、管理サーバ２は、残留機器が無いことを表すメッセージを作成する（ステップＳ１８５）。この後、管理サーバ２は、作成したメッセージを検出結果として読み取り装置１０に送り（ステップＳ１８６）、機器検出処理を終了する。
【００６２】
次に、この実施の形態による入退出管理システムを用いた入退出管理方法について、図２４を用いて説明する。なお、図２４では、工事現場Ｂの読み取り装置１０を省略しているが、工事現場Ｂは工事現場Ａと同様である。
【００６３】
当日の作業が始まる前に、管理部門の担当者は管理パソコン４を操作して、「入り時刻」および「出時刻」が無記入であり、かつ、「入退出」の欄の値が「０」である当日作業データおよび機器データ、つまり初期状態の当日作業データ（図９）および機器データ（図１９）を作成して、データベース３に保存しておく。
【００６４】
当日の作業が始まると、出入り口Ａ１を使用する工事現場Ａでは、出入り口Ａ１に設けられているＩＣタグ１００から出入り口番号「ＧＡ０１」を、現場の責任者が読み取り装置１０のタグリーダ１３を操作して読み取り、タグリーダ１３は読み取った出入り口番号「ＧＡ０１」を携帯パソコン１１に入力する。これにより、工事現場Ａの出入り口Ａ１に設置されているパソコン１１は、管理部門にデータを送信するときに、出入り口番号「ＧＡ０１」を必ずデータに添付する。この後、読み取り装置１０の携帯パソコン１１に読み取り開始の指示を現場の責任者が入力すると、パソコン１１は読み取り処理を行う。同時に、管理部門の管理サーバ２に、出入り口番号「ＧＡ０１」を付加して読み取り開始を通知する。これにより、管理サーバ２は識別処理を開始する。
【００６５】
こうした状態で、作業者が出入り口から工事現場Ａに入るときに、作業者のヘルメットや機器に設けられているＩＣタグ１００から、読み取り装置１０のタグリーダ１３が管理番号を読み取り、読み取った管理番号を携帯パソコン１１に送る。携帯パソコン１１は、読み取り処理により、読み取った各管理番号を送信データとし、この送信データに出入り口番号「ＧＡ０１」を付加して、管理部門の管理サーバ２に送る。
【００６６】
管理サーバ２は、管理番号を受け取ると、識別処理により当日作業データ（図９）を更新する。つまり、当日作業データ（図９）の「入退出」の欄が値「０」であれば、この値を「１」にすると共に「入り時刻」に現在の時刻を記録する。同じようにして、管理サーバ２は機器データ（図１９）を更新する。更新後の当日作業データは、実施の形態１と同様に図１３に示すものである。また、更新後の機器データを図２５に示す。なお、図２５では、すべての機器が工事現場Ａおよび工事現場Ｂに入ったことを表している。管理サーバ２は、当日作業データを更新すると同時に、識別処理による照合結果を工事現場Ａの読み取り装置１０に送る。
【００６７】
読み取り装置１０の携帯パソコン１１は、管理サーバ２から照合結果を受け取ると、この照合結果をモニタ１１Ｄに表示する。このとき、作業者については実施の形態１と同様に照合結果が表示される。また、搬入される機器については、工事現場Ａに搬入される機器が機器データ（図１９）に適正に記録されているとき、例えば、搬入される管理番号「５００１」の「搬送台」が機器データに記録され、かつ、工事番号「Ｂ０００１」の工事現場Ａに対応して記録されているとき、携帯パソコン１１は、適正な機器であることを示すメッセージを表示し、搬入された機器のリストを表示する。また、機器データに記録されているが、工事番号「Ｂ０００１」の工事現場Ａに対応していない機器であるとき、携帯パソコン１１は出入り口が違うことを表すメッセージを表示する。
【００６８】
この後、当日の工事が終了し、工事現場Ａの出入り口Ａ１から作業者と機器が出るときに、読み取り装置１０のタグリーダ１３は、入る時と同じようにして、ＩＣタグ１００から管理番号を読み取って携帯パソコン１１に入力する。これにより、携帯パソコン１１は、送信データに出入り口番号「ＧＡ０１」を付加して、管理部門の管理サーバ２に送る。管理サーバ２は、工事現場Ａの読み取り装置１０から送信データを受け取ると、識別処理により当日作業データ（図１３）と機器データ（図２５）を更新する。つまり、当日作業データ（図１３）と機器データ（図２５）の「入退出」の欄が値「１」であれば、この値を「０」にすると共に「出時刻」の欄に現在の時刻を記録する。そして、管理サーバ２は、監督者や作業者、機器が出入り口Ａ１を通る毎に当日作業データと機器データを更新していく。工事現場Ａの携帯パソコン１１は、管理サーバ２から照合結果を受け取ると、この照合結果をモニタ１１Ｄに表示する。
【００６９】
工事現場Ａの責任者が読み取り装置１０の携帯パソコン１１を操作して、作業終了の指示を入力すると、携帯パソコン１１は、出入り口番号を付加して、終了の指示を管理部門の管理サーバ２に送る。
【００７０】
管理サーバ２は、終了の指示を受け取ると、識別処理を終了して関係者検出処理および機器検出処理を行う。これにより、管理サーバ２は、最新の当日作業データを参照して、検出結果を読み取り装置１０に送る。更新された最新の当日作業データは、実施の形態１と同様に図１４である。また、更新された最新の機器データを図２６に示す。図２６では、工事現場Ａの「搬送台」と「コンプレッサ」が未退出であり、現場に有ることを表している。管理サーバ２は、最新の当日作業データ（図１４）を用いて、工事現場Ａで作業する関係者番号が「ＰＢ０００１」の作業者が未退出であり、この作業者を残留者として表すリストを検出結果として、工事現場Ａの読み取り装置１０に送る。また、管理サーバ２は、最新の機器データ（図２６）を用いて、工事現場Ａの「搬送台」と「コンプレッサ」が未退出であり、これらの機器を残留機器として表すリストを検出結果として、工事現場Ａの読み取り装置１０に送る。
【００７１】
読み取り装置１０の携帯パソコン１１は、管理部門の管理サーバ２から検出結果を受け取ると、この検出結果による残留者のリストと残留機器のリストをモニタ１１Ｄに表示する。つまり、携帯パソコン１１は、関係者番号が「ＰＢ０００１」の作業者と、「搬送台」および「コンプレッサ」とが工事現場Ａに残っていることをモニタ１１Ｄに表示する。これにより、工事現場Ａに関係者と機器とが残っていることを知らせることができる。
【００７２】
この実施の形態によれば、ＩＣタグ１００には個人情報が記録されていないので、ＩＣタグ１００を貼り付けた作業用ヘルメットの紛失等があっても、個人情報の安全管理に問題が生じることがない。また、この実施の形態によれば、読み取り装置１０の携帯パソコン１１には、関係者の個人情報が記録されていないので、携帯パソコン１１が盗難にあっても、個人情報の安全管理に問題が生じることがない。また、この実施の形態によれば、携帯パソコン１１が識別処理を行わないので、携帯パソコン１１のシステム構成が複雑になることを防ぎ、携帯パソコン１１の負担が重くなることを防ぐことができる。また、この実施の形態によれば、工事現場Ａ、Ｂに搬入された機器を管理するので、機器を工事現場Ａ、Ｂに置き忘れることを防ぐことができる。さらに、この実施の形態によれば、出入り口番号「ＧＡ０１」、「ＧＢ０１」を記録したＩＣタグ１００を、工事現場Ａ、Ｂの出入り口Ａ１、Ｂ１に設けたので、責任者が携帯パソコン１１に出入り口番号「ＧＡ０１」、「ＧＢ０１」を入力する手間を省くと共に入力ミスも防ぐことができる。
【００７３】
（実施の形態３）
この実施の形態では、１つの工事現場に複数の出入り口が設けられている場合に、関係者の入退出を管理する。この実施の形態による入退出管理システムを図２７に示す。なお、この実施の形態では、先に説明した実施の形態と同一もしくは同一と見なされる構成要素には、それと同じ参照符号を付けて、その説明を省略する。図２７では工事現場Ａの出入り口として、出入り口番号が「ＧＡ０１」である出入り口Ａ１と、出入り口番号が「ＧＡ０２」である出入り口Ａ２を利用する。そして、工事現場Ａの出入り口Ａ１および出入り口Ａ２に読み取り装置１０がそれぞれ運ばれて設置されている。工事現場Ｂについては工事現場Ａと同様であるので、説明を省略する。
【００７４】
この実施の形態では、当日作業データとして次のものを用いる。この当日作業データを図２８に示す。図２８の当日作業データは、実施の形態１で用いられた当日作業データ（図９）と大体同じであるが、「出入り口番号」の欄に複数の出入り口が登録されている。この実施の形態では、「出入り口番号」の欄に、出入り口Ａ１の出入り口番号「ＧＡ０１」と、出入り口Ａ２の出入り口番号「ＧＡ０２」とが記録されている。これにより、出入り口Ａ１に設置された読み取り装置１０と、出入り口Ａ２に設置された読み取り装置１０とが、当日作業データを参照することができるようになり、認証処理を行うときに、２つの出入り口Ａ１、Ａ２による出入り結果を当日作業データに反映することが可能になる。
【００７５】
この後、管理サーバ２は、関係者検出処理で、２つの出入り口Ａ１、Ａ２による出入り結果を反映した当日作業データを用いることにより、工事現場Ａに対して２つの出入り口Ａ１、Ａ２を利用した場合の検出結果を読み取り装置１０に送る。
【００７６】
この実施の形態によれば、工事現場に複数の出入り口があっても、関係者の入退出を確実に把握することを可能にする。なお、同じようにして、実施の形態２に対して、この実施の形態による技術を適用することが可能である。
【００７７】
（実施の形態４）
この実施の形態では、工事現場Ａの出入り口Ａ１の特定と、工事現場Ｂの出入り口Ｂ１の特定とを、ＧＰＳ（Ｇｌｏｂａｌ  Ｐｏｓｉｔｉｏｎｉｎｇ  Ｓｙｓｔｅｍ）を利用して行っている。この実施の形態による入退出管理システムを図２９に示す。なお、この実施の形態では、先に説明した実施の形態と同一もしくは同一と見なされる構成要素には、それと同じ参照符号を付けて、その説明を省略する。図２９の入退出管理システムでは、読み取り装置１０がＧＰＳ受信部１４を備えている。
【００７８】
ＧＰＳ受信部１４は、図３０に示すように、インターフェース１１Ｆを経由してバスＢＳに接続されている。ＧＰＳ受信部１４は、人工衛星ＳＡからの電波信号を受信して位置データを得る。そして、ＧＰＳ受信部１４は、取得した位置データを携帯パソコン１１に送る。携帯パソコン１１は、ＧＰＳ受信部１４から位置データを受け取ると、通信部１１Ｅを制御して、この位置データを管理部門の管理サーバ２に送る。
【００７９】
管理サーバ２は、読み取り装置１０から位置データを受け取ると、あらかじめデータベース３に記憶している地図データを参照し、位置データが表す位置が工事現場Ａの出入り口Ａ１か工事現場Ｂの出入り口Ｂ１かを特定する。この後、管理サーバ２は、位置データが表す位置が工事現場Ａの出入り口Ａ１であると、出入り口番号「ＧＡ０１」を読み取り装置１０に送り、また、位置データが表す位置が工事現場Ｂの出入り口Ｂ１であると、出入り口番号「ＧＢ０１」を読み取り装置１０に送る。
【００８０】
読み取り装置１０の携帯パソコン１１では、処理部１１Ａは通信部１１Ｅを経由して、管理サーバ２から出入り口番号を受け取ると記憶部１１Ｂに記憶し、この出入り口番号を以降の各処理で用いる。
【００８１】
この実施の形態によれば、読み取り装置１０にＧＰＳ機能を設け、読み取り装置１０を設置した際に、自動的に出入り口番号を取得するので、出入り口番号を入力する作業を省くことができ、しかも、出入り口番号の入力ミスを防ぐことができる。
【００８２】
（実施の形態５）
実施の形態４では、工事現場Ａの出入り口Ａ１の特定と、工事現場Ｂの出入り口Ｂ１工事現場Ｂ１の特定とを、ＧＰＳを用いて行ったが、この実施の形態では、三次元ＧＰＳを用いて、工事現場の特定を行う。なお、この実施の形態では、先に説明した実施の形態と同一もしくは同一と見なされる構成要素には、それと同じ参照符号を付けて、その説明を省略する。
【００８３】
この実施の形態では、例えば工事現場Ｂである建屋が４階建ての場合、各階の出入り口に、実施の形態４で用いた読み取り装置１０を設置する。ＧＰＳ受信部１４は、三次元ＧＰＳにより、位置データに高さ方向を含めることができる。そして、ＧＰＳ受信部１４は、取得した三次元の位置データを携帯パソコン１１に送る。携帯パソコン１１は、ＧＰＳ受信部１４から位置データを受け取ると、通信部１１Ｅを制御して、この位置データを管理部門の管理サーバ２に送る。
【００８４】
管理サーバ２は、読み取り装置１０から位置データを受け取ると、あらかじめデータベース３に記憶している地図データおよび建物の各階の高さデータを参照し、位置データが表す高さデータにより、工事現場Ｂの建屋の階を特定する。この後、管理サーバ２は、特定した階の出入り口に対応する出入り口番号を読み取り装置１０に送る。
【００８５】
読み取り装置１０の携帯パソコン１１では、処理部１１Ａは通信部１１Ｅを経由して、管理サーバ２から出入り口番号を受け取ると記憶部１１Ｂに記憶し、この出入り口番号を以降の各処理で用いる。
【００８６】
この実施の形態によれば、読み取り装置１０に三次元ＧＰＳ機能を設けたので、工事現場が複数階からなる建物であっても、各階の出入り口に読み取り装置１０を設置するだけで、出入り口番号を自動で取得することができる。
【００８７】
以上、この発明の実施の形態を詳述してきたが、具体的な構成は各実施の形態に限られるものではなく、この発明の要旨を逸脱しない範囲の設計の変更等があっても、この発明に含まれる。例えば、実施の形態３では、あらかじめデータベース３に記憶している地図データを管理サーバ２が参照し、工事現場Ａの出入り口Ａ１か工事現場Ｂの出入り口Ｂ１かを特定したが、読み取り装置１０の携帯パソコン１１が地図データを記憶して、出入り口の特定を行うようにしてもよい。
【図面の簡単な説明】
【００８８】
【図１】この発明の実施の形態１による入退出管理システムを示す構成図である。
【図２】図１の読み取り装置を示す構成図である。
【図３】読み取り処理を示すフローチャートである。
【図４】作業終了処理を示すフローチャートである。
【図５】現場データの一例を示す図である。
【図６】工事データの一例を示す図である。
【図７】日程データの一例を示す図である。
【図８】認証データの一例を示す図である。
【図９】当日作業データの一例を示す図である。
【図１０】認証処理を示すフローチャートである。
【図１１】関係者検出処理を示すフローチャートである。
【図１２】実施の形態１による入退出管理方法を説明するシーケンス図である。
【図１３】更新後の当日作業データの一例を示す図である。
【図１４】更新後の当日作業データの一例を示す図である。
【図１５】この発明の実施の形態２による入退出管理システムを示す構成図である。
【図１６】図１５の携帯パソコンを示す構成図である。
【図１７】実施の形態２による読み取り処理を示すフローチャートである。
【図１８】実施の形態２による関係者データの一例を示す図である。
【図１９】実施の形態２による機器データの一例を示す図である。
【図２０】実施の形態２による識別処理を示すフローチャートである。
【図２１】実施の形態２による関係者識別処理を示すフローチャートである。
【図２２】実施の形態２による機器識別処理を示すフローチャートである。
【図２３】実施の形態２による機器検出処理を示すフローチャートである。
【図２４】実施の形態２による入退出管理方法を説明するシーケンス図である。
【図２５】作業開始時に更新された機器データの一例を示す図である。
【図２６】作業終了時に更新された機器データの一例を示す図である。
【図２７】この発明の実施の形態３による入退出管理システムを示す構成図である。
【図２８】実施の形態３による当日作業データの一例を示す図である。
【図２９】この発明の実施の形態４による入退出管理システムを示す構成図である。
【図３０】図２９の読み取り装置を示す構成図である。
【符号の説明】
【００８９】
１  通信制御装置
２  管理サーバ（処理装置）
３  データベース（記憶装置）
１０  読み取り装置
１１  携帯パソコン
１２  読み取り部
１３  タグリーダ
１４  ＧＰＳ受信部
【図１】
0005288762.tif 000002
【図２】
0005288762.tif 000003
【図３】
0005288762.tif 000004
【図４】
0005288762.tif 000005
【図５】
0005288762.tif 000006
【図６】
0005288762.tif 000007
【図７】
0005288762.tif 000008
【図８】
0005288762.tif 000009
【図９】
0005288762.tif 000010
【図１０】
0005288762.tif 000011
【図１１】
0005288762.tif 000012
【図１２】
0005288762.tif 000013
【図１３】
0005288762.tif 000014
【図１４】
0005288762.tif 000015
【図１５】
0005288762.tif 000016
【図１６】
0005288762.tif 000017
【図１７】
0005288762.tif 000018
【図１８】
0005288762.tif 000019
【図１９】
0005288762.tif 000020
【図２０】
0005288762.tif 000021
【図２１】
0005288762.tif 000022
【図２２】
0005288762.tif 000023
【図２３】
0005288762.tif 000024
【図２４】
0005288762.tif 000025
【図２５】
0005288762.tif 000026
【図２６】
0005288762.tif 000027
【図２７】
0005288762.tif 000028
【図２８】
0005288762.tif 000029
【図２９】
0005288762.tif 000030
【図３０】
0005288762.tif 000031